(57)【要約】【課題】利用者が商品の購入前においても、商品に関連する広告の内容を確認することが可能な広告情報出力プログラムを提供する。【解決手段】商品に付されるラベル１００に印字された印字情報２００の読取りを行うことにより作成された読取情報４００に基づいて、該読取情報４００に関する広告情報Ａの作成を行い、該広告情報Ａを表示部４４に出力する、広告情報出力プログラム。【選択図】図１
2020095359.tif 000002
【特許請求の範囲】
【請求項１】
商品に付される情報担持媒体に印字された印字情報の読取りを行うことにより作成された読取情報に基づいて、該読取情報に関する広告情報の作成を行い、該広告情報を表示装置に出力する、広告情報出力プログラム。
【請求項２】
前記広告情報の前記作成は、前記印字情報に対応するように作成された広告情報対応テーブルより対応する情報を引用することにより行われる、請求項１に記載の広告情報出力プログラム。
【請求項３】
前記広告情報の前記作成は、前記印字情報の読取りを行う利用者に関する利用者情報に、更に基づいて行われる、請求項１または２に記載の広告情報出力プログラム。
【請求項４】
前記利用者情報は、前記利用者を撮影することにより作成された撮影情報に基づいて作成される、請求項３に記載の広告情報出力プログラム。
【請求項５】
前記利用者情報は、前記利用者が保持する携帯端末装置が有する端末情報に基づいて作成される、請求項３または４に記載の広告情報出力プログラム。
【請求項６】
前記利用者情報は、前記利用者の性別、年齢、位置情報、および、購入履歴からなる群より選択される少なくとも一つからなる、請求項３〜５のいずれか１項に記載の広告情報出力プログラム。
【請求項７】
前記情報担持媒体は、ラベル、包装材、および、タグからなる群より選択される少なくとも一つからなる、請求項１〜６のいずれか１項に記載の広告情報出力プログラム。
【発明の詳細な説明】
【技術分野】
【０００１】
本発明は、広告情報出力プログラムに関する。
【背景技術】
【０００２】
一般的に利用者にとって関心があるか否かが不明な商品の広告を提供するよりも、利用者が実際に購入した商品に関連する商品の広告を提供した方が、高い広告効果が得られることが知られている。また、利用者は価格を基準に商品を選択する傾向があるため、より低価格で同程度の品質を持つ商品を広告すれば、その商品を購入してくれる期待は高まる。
【０００３】
従来、利用者が購入した商品情報が記載されたレシートについて、携帯端末のカメラでレシートの購入情報を撮影すると、購入情報に関連する広告を表示するという広告配信システムが開示されている（たとえば、特許文献１）。この特許文献１には、レシートに記載された購入情報とこれに関連する広告とを対応させたテーブルを、予めサーバ等の蓄積部に蓄積させておき、利用者が携帯端末のカメラ等でレシートの購入情報を撮影した際に、購入情報に対応する広告をサーバ等のテーブルから取得して携帯端末の表示画面に表示させるというものである。
【先行技術文献】
【特許文献】
【０００４】
【特許文献１】特開２０１５−６３０２７号公報
【発明の概要】
【発明が解決しようとする課題】
【０００５】
特許文献１に記載の広告配信システムでは、利用者が商品を購入した後にレシートに記載された購入情報に基づいて商品に関連する広告が配信されるため、利用者がどのような商品を購入するか思案している際には広告の内容を確認することができないという不都合がある。
【０００６】
本発明は、上記問題点を解消すべくなされたものであって、利用者が商品の購入前においても、商品に関連する広告の内容を確認することが可能な広告配信システムを供給することを目的とする。
【課題を解決するための手段】
【０００７】
上記目的を達成するために、本発明は、次のように構成されている。
【０００８】
（１）本発明の広告情報出力プログラムは、商品に付される情報担持媒体に印字された印字情報の読取りを行うことにより作成された読取情報に基づいて、該読取情報に関する広告情報の作成を行い、該広告情報を表示装置に出力する。
【０００９】
上記構成によると、商品棚に陳列された商品に付された情報担持媒体に印字された印字情報を読み取るだけで、その商品に関連する広告情報を表示装置において容易に確認することができるため、たとえば、利用者が商品の購入後にレシートに印字された商品情報を読み取って広告情報を取得する場合と異なり、利用者が商品の購入前においても、商品に関連する広告の内容を確認することができる。
【００１０】
（２）本発明の広告情報出力プログラムにおいて、前記広告情報の前記作成は、前記印字情報に対応するように作成された広告情報対応テーブルより対応する情報を引用することにより行われる。このように構成すれば、広告情報対応テーブルを用いることにより容易に広告情報の作成を行うことができるため、広告情報の作成を行うためのプログラムなどを別途必要とせずに、利用者に対して迅速に広告情報を提供することができる。
【００１１】
（３）本発明の広告情報出力プログラムにおいて、前記広告情報の前記作成は、前記印字情報の読取りを行う利用者に関する利用者情報に、更に基づいて行われる。このように構成すれば、利用者にとって興味または関心があると考えられる商品に関連する広告情報を表示装置に出力することができるため、購入意欲を喚起することができる。
【００１２】
（４）本発明の広告情報出力プログラムにおいて、前記利用者情報は、前記利用者を撮影することにより作成された撮影情報に基づいて作成される。このように構成すれば、利用者の撮影情報に基づいて、利用者の性別や年齢を判別し、利用者にとってより興味または関心があると考えられる広告情報を表示装置に出力することができる。
【００１３】
（５）本発明の広告情報出力プログラムにおいて、前記利用者情報は、前記利用者が保持する携帯端末装置が有する端末情報に基づいて作成される。このように構成すれば、利用者情報を別途利用者が入力または設定する操作がなくなるため、利用者が印字情報を読み取るだけで商品に関連する広告情報を容易に取得することができる。
【００１４】
（６）本発明の広告情報出力プログラムにおいて、前記利用者情報は、前記利用者の性別、年齢、位置情報、および、購入履歴からなる群より選択される少なくとも一つからなる。このように構成すれば、利用者の性別、年齢、位置情報、および、購入履歴のうちの少なくとも１つに基づいて広告情報が取得されるため、より確実に利用者にとって興味または関心があると考えられる広告情報を表示装置に出力することができる。
【００１５】
（７）本発明の広告情報出力プログラムにおいて、前記情報担持媒体は、ラベル、包装材、および、タグからなる群より選択される少なくとも一つからなる。このように構成すれば、ラベル、包装材、および、タグに印字された商品名などの印字情報に基づく読取情報から利用者が購入した商品に関する広告情報を提供することができるため、利用者が購入した商品のみならずその関連する商品についても購入意欲を喚起することができる。
【発明の効果】
【００１６】
本発明に係る態様によれば、利用者が商品の購入前においても、商品に関連する広告の内容を確認することができる。
【図面の簡単な説明】
【００１７】
【図１】本実施形態に係る広告情報出力プログラムを用いた広告情報出力システムの全体構成を示す概略図である。
【図２】本実施形態に係る携帯端末装置の構成を示す図である。
【図３】本実施形態に係るサーバの構成を示す図である。
【図４】本実施形態に係る広告情報出力プログラムを実行するためのサーバおよび携帯端末装置の制御フロー図である。
【図５】本実施形態に係る読取情報と広告情報との対応関係を示す広告情報対応テーブルである。
【図６】本実施形態に係る携帯端末装置の表示部に読取情報が表示された様子を示す図である。
【図７】本実施形態に係る携帯端末装置の表示部に広告情報Ａが表示された様子を示す図である。
【図８】本実施形態に係る携帯端末装置の表示部に広告情報Ｂが表示された様子を示す図である。
【発明を実施するための形態】
【００１８】
以下、添付図面を参照して、本発明に係る広告情報出力プログラムを実行するための実施形態を説明する。
【００１９】
まず、図１〜図８を参照して、本実施形態による広告情報出力プログラムを実行するためのシステムの全体構成について説明する。本実施形態による広告情報出力プログラムは、図１に示すように、商品に付されるラベル１００に印字された印字情報２００を読み取ることにより作成された読取情報４００に基づいて、該読取情報４００に関する広告情報Ａ（図７参照）の作成を行い、該広告情報Ａを携帯端末装置４０の表示部４４に出力するシステムにおいて使用されるプログラムである。この広告情報出力プログラムは、サーバ５０の記憶部５２（図３参照）に格納されている。
【００２０】
図２に示すように、携帯端末装置４０は、携帯端末装置全体の制御を司る制御部４１と、各種情報を記憶する記憶部４２と、文字などを入力するための入力部４３と、入力された文字や画像などを表示させる表示部４４と、ネットワーク６０を介してサーバ５０と通信を行うための通信制御部４５と、ラベル１００に印字された印字情報２００を読み取る（撮影する）カメラ４６と、利用者の位置情報を取得するＧＰＳ（Ｇｌｏｂａｌ  Ｐｏｓｉｔｉｏｎｉｎｇ  Ｓｙｓｔｅｍ）受信機４７を備えている。また、携帯端末装置４０としてスマートフォンを用いる場合には、タッチパネルが入力部４３および表示部４４を兼ねることになる。
【００２１】
利用者が携帯端末装置４０のカメラ４６によりラベル１００に印字された印字情報２００を読み取り、読取情報４００（図６参照）としてサーバ５０に出力することにより、その印字情報２００に対応する広告情報Ａ（図７参照）が表示部４４に表示される。
【００２２】
携帯端末装置４０の記憶部４２には、携帯端末装置４０を操作（保持）する利用者に関する利用者情報、すなわち、利用者の性別、年齢、位置情報、および、購入履歴などが記憶されており、広告情報Ａが作成される際にこのような設定内容が参照されて出力される。利用者の位置情報は、携帯端末装置４０のＧＰＳ受信機４７により随時取得することが可能である。利用者の購入履歴は、利用者自身により登録してもよいし、携帯端末装置４０が備える売買の電子決済機能により随時取得しても良い。なお、携帯端末装置４０が備えるこれらの情報を「端末情報４０１」とする。
【００２３】
図３に示すように、サーバ５０は、サーバ全体の制御を司る制御部５１と、各種情報を記憶する記憶部５２と、ネットワーク６０を介して携帯端末装置４０と通信を行うための通信制御部５３とを備えている。通信制御部５３は、公知技術の有線通信または無線通信を適用可能である。
【００２４】
サーバ５０の記憶部５２には、図５に示すように、ラベル１００に印字された印字情報２００を読み取った読取情報４００（図６参照）と、読取情報４００に関連する広告情報Ａ（図７参照）とが対応付けられた対応テーブルＴ２０が記憶されている。この対応テーブルＴ２０の「読取情報」の列には商品名が記憶され、対応テーブルＴ２０の「広告情報」の列には読取情報に関連する広告情報が記憶されている。たとえば、利用者が携帯端末装置４０のカメラ４６を用いて商品「茶」を撮影した場合に、「茶」に関連する広告情報として「おにぎり」「弁当」「菓子」に関する広告情報が少なくとも１つ表示される。読取情報と広告情報との対応付けの一例としては、利用者が「茶」を購入した場合に、「茶」と同時に購入しそうな「おにぎり」「弁当」「菓子」などの食品が対応付けられている。同様に、利用者が「菓子」を購入した場合に、「菓子」と同時に購入しそうな「茶」「コーヒー」「ジュース」などの飲料が対応付けられている。
【００２５】
また、図１に示すように、商品売場には利用者を撮影するための撮影装置としてのカメラ７０が設置されており、カメラ７０により撮影された利用者の撮影情報７０１がネットワーク６０を介してサーバ５０に出力される。この利用者の撮影情報７０１に基づいて、サーバ５０に蓄積されているデータから利用者の性別、年齢、商品の購入履歴などが取得され、これらの情報は広告情報が作成される際に参照される。
【００２６】
次に、本実施形態による広告情報出力プログラムを実行するための制御フローについて説明する。この広告情報出力プログラムは、サーバ５０に格納され、システムを制御している。
【００２７】
図４に示すように、サーバ５０は、商品売場に設置されたカメラ７０から送信される利用者の撮影情報７０１を受信する（Ｓ１０１）。
【００２８】
一方、携帯端末装置４０は、利用者が携帯端末装置４０のカメラ４６を用いて商品に貼付されたラベル１００の印字情報２００を読み取り（Ｓ２０１）、ラベル１００の印字情報２００に基づいた読取情報４００を作成する（Ｓ２０２）。その後、携帯端末装置４０は、読取情報４００および読取情報４００に対応する広告表示要求をサーバ５０に送信する（Ｓ２０３）。
【００２９】
他方、サーバ５０は、携帯端末装置４０から送信された読取情報４００および読取情報４００に対応する広告表示要求を受信すると（Ｓ１０２）、記憶部５２に記憶された対応テーブルＴ２０（図５参照）から読取情報４００に対応する広告情報を検索し、読取情報４００に対応する広告情報を携帯端末装置４０に送信する（Ｓ１０３）。このとき、サーバ５０は、上記ステップＳ１０１において商品売り場に設置されたカメラ７０などから送信された撮影情報７０１に基づいて、利用者が興味または関心を持つと考えられる広告情報を検索し、広告情報を携帯端末装置４０に送信する。
【００３０】
一方、携帯端末装置４０は、サーバ５０から送信された読取情報４００に対応する広告情報を受信し（Ｓ２０４）、図７に示すように携帯端末装置４０の表示部４４に広告情報Ａを表示する（Ｓ２０５）。たとえば、図７に示す広告情報Ａのように、読取情報４００の下端に重なるように安売りの情報が表示されてもよい。また、他の例として、図８に示す広告情報Ｂのように、読取情報４００の下方に他社の飲料に関する広告情報が表示されてもよい。
【００３１】
上記説明した本実施形態によれば、以下の効果を得ることができる。
【００３２】
（１）上記実施形態による広告情報出力プログラムでは、商品に付されるラベル１００に印字された印字情報２００の読取りを行うことにより作成された読取情報４００に基づいて、該読取情報４００に関する広告情報Ａの作成を行い、該広告情報Ａを表示部４４に出力する。
【００３３】
これにより、商品棚に陳列された商品に付されたラベル１００に印字された印字情報２００を読み取るだけで、その商品に関連する広告情報Ａを表示部４４において容易に確認することができるため、たとえば、利用者が商品の購入後にレシートに印字された商品情報を読み取って広告情報を取得する場合と異なり、利用者が商品の購入前においても、商品に関連する広告の内容を確認することができる。
【００３４】
（２）上記実施形態による広告情報出力プログラムでは、広告情報の作成は、印字情報２００に対応するように作成された広告情報対応テーブルＴ２０より対応する情報を引用することにより行うことによって、広告情報対応テーブルＴ２０を用いることにより容易に広告情報Ａの作成を行うことができるため、広告情報Ａの作成を行うためのプログラムなどを別途必要とせずに、利用者に対して迅速に広告情報Ａを提供することができる。
【００３５】
（３）上記実施形態による広告情報出力プログラムでは、広告情報Ａの作成は、印字情報２００の読取りを行う利用者に関する利用者情報に、更に基づいて行うことによって、利用者にとって興味または関心があると考えられる商品に関連する広告情報Ａを表示部４４に出力することができるため、購入意欲を喚起することができる。
【００３６】
（４）上記実施形態による広告情報出力プログラムでは、利用者情報は、利用者を撮影することにより作成された撮影情報７０１に基づいて作成されることによって、利用者の撮影情報７０１に基づいて、利用者の性別や年齢を判別し、利用者にとってより興味または関心があると考えられる広告情報Ａを表示部４４に出力することができる。
【００３７】
（５）上記実施形態による広告情報出力プログラムでは、利用者情報は、利用者が保持する携帯端末装置４０が有する端末情報４０１に基づいて作成されることによって、広告情報Ａを取得する際に端末情報４０１を別途利用者が入力または設定する操作がなくなるため、利用者が印字情報２００を読み取るだけで商品に関連する広告情報Ａを容易に取得することができる。
【００３８】
（６）上記実施形態による広告情報出力プログラムでは、利用者情報は、利用者の性別、年齢、位置情報、および、購入履歴からなる群より選択される少なくとも一つからなることによって、利用者の性別、年齢、位置情報、および、購入履歴のうちの少なくとも１つに基づいて広告情報Ａが取得されるため、より確実に利用者にとって興味または関心があると考えられる広告情報Ａを表示部４４に出力することができる。
【００３９】
（７）上記実施形態による広告情報出力プログラムでは、情報担持媒体としてラベル１００を用いることによって、ラベル１００に印字された商品名などの印字情報２００に基づく読取情報４００から利用者が購入した商品に関する広告情報Ａを提供することができるため、利用者が購入した商品のみならずその関連する商品についても購入意欲を喚起することができる。
【００４０】
上記実施形態は、以下のように変更した構成とすることもできる。
【００４１】
・上記実施形態では、本発明の情報担持媒体の一例としてラベルを用いる例を示したが、本発明はこれに限られない。本発明では、印字装置を用いて印字情報を印字することが可能であれば、ラベル以外に包装材やタグなどの情報を印字することが可能な種々の媒体を用いることが可能である。
【００４２】
・上記実施形態では、本発明の読取装置の一例として携帯端末装置のカメラを示したが、本発明はこれに限られない。本発明では、ラベルに印字された印字情報を読み取り出力することが可能であれば、携帯端末装置のカメラ以外に、たとえば専用の読取装置を用いてもよい。
【００４３】
・上記実施形態では、本発明の印字情報の一例として、目視により確認可能な文字や図形などの情報を読取装置を用いて読み取る例を示したが、本発明はこれに限られない。本発明では、読取装置を用いて読み取ることが可能であれば、目視により確認不可能な情報、たとえば電子透かしなどの情報でも適用可能である。
【００４４】
・上記実施形態では、本発明の表示装置の一例として携帯端末装置の表示部を示したが、本発明はこれに限られない。本発明では、広告情報を表示することが可能であれば、携帯端末装置の表示部以外に、たとえば専用の表示装置を用いてもよい。
【００４５】
・上記実施形態では、広告情報を作成するために携帯端末装置を操作する利用者の利用者情報を用いる例を示したが、本発明はこれに限られない。本発明では、利用者情報は必須の構成ではなく、利用者情報を用いなくてもよい。
【００４６】
・上記実施形態では、利用者の撮影情報を取得するために、商品売場に利用者を撮影するためのカメラを設置する例を示したが、本発明はこれに限られない。本発明では、利用者の撮影情報を利用しないのであればカメラは割愛してもよい。
【００４７】
・上記実施形態では、利用者情報を取得するために、携帯端末装置が利用者の位置情報を取得するためのＧＰＳ受信機を備える例を示したが、本発明はこれに限られない。本発明では、ＧＰＳ受信機は必須の構成ではなく、ＧＰＳ受信機を備えていなくてもよい。
【００４８】
・上記実施形態は、いずれも本発明の適応の例示であり、特許請求の範囲に記載の範囲内におけるその他いかなる実施形態も、発明の技術的範囲に含まれることは当然のことである。
【符号の説明】
【００４９】
４０        …携帯端末装置
４４        …表示部（表示装置）
７０        …カメラ（撮影装置）
１００      …ラベル（情報担持媒体）
２００      …印字情報
４００      …読取情報
４０１      …端末情報
７０１      …撮影情報
Ｔ２０      …広告情報対応テーブル
Ａ、Ｂ      …広告情報
【図１】
2020095359.tif 000003
【図２】
2020095359.tif 000004
【図３】
2020095359.tif 000005
【図４】
2020095359.tif 000006
【図５】
2020095359.tif 000007
【図６】
2020095359.tif 000008
【図７】
2020095359.tif 000009
【図８】
2020095359.tif 000010